【事件の表示】
　特許第３２９４６０２号「錠剤フィーダ」の請求項１、２に係る特許に対する特許異議の申立てについて、次のとおり決定する。
【結　論】
　訂正を認める。
　特許第３２９４６０２号の請求項に係る特許を維持する。
【理　由】
１．手続の経緯
　特許第３２９４６０２号 の請求項１、２に係る発明は、平成８年５月３１日に特許出願され、平成１４年４月５日にその特許権の設定登録がなされ、取消の理由が通知され、その指定期間内である平成１５年５月１２日に訂正請求がなされたものである。
　　　　　　　　　　　　　　　　　　　　　　　　　　　　　　
２．訂正の適否についての判断
（１）訂正の内容
　１）訂正事項１
　明細書の特許請求の範囲の請求項１において、「支持台の案内部材」を「支持台上に設けた案内部材」（２箇所）と訂正する。
　２）訂正事項２
　同請求項１において、「・・・駆動ギヤに係合する弾性係合部材とし、・・」を「・・・駆動ギヤに係合する片持ち梁状弾性係合部材とし、その弾性係合部材には係合を解除する係合解除部材を設け、・・」と訂正する。
　３）訂正事項３
　同請求項１において、「・・・一体に当接部を設け、」につづいて、「その当接部は上記案内部材から上記モータから動力が伝達される支持台上のギヤ側に延びる平面に形成されており、」を加入する訂正をする。
　４）訂正事項４
　同請求項１において、「弾性係合部材に当接部を当接させるように・・・」を「上記錠剤収納ケースを案内部材に沿い移動させて支持台に装着の際、上記係合解除部材を上記平面状の当接部に当接させて上記弾性係合部材と上記駆動ギヤとの係合を解除するように・・・」と訂正する。
　５）訂正事項５
　明細書段落番号【０００４】において、「上記錠剤フィーダはケース内底部の蟻地獄形状の凹部にそろ盤玉状のロータが・・・」を「上記錠剤フィーダはケース内底部の逆円錐台形状の凹部に断面略菱形状のロータが・・・」と訂正する。
　６）訂正事項６
　同段落番号【０００９】において、「支持台の案内部材」を「支持台上に設けた案内部材」(２箇所)と訂正する。
　７）訂正事項７
　同段落番号【０００９】において、「・・・駆動ギヤに係合する弾性係合部材とし、・・」を「・・・駆動ギヤに係合する片持ち梁状弾性係合部材とし、その弾性係合部材には係合を解除する係合解除部材を設け、・・」に訂正する。
　８）訂正事項８
　同段落番号【０００９】において、「・・・一体に当接部を設け、」につづいて、「その当接部は上記案内部材から上記モータから動力が伝達される支持台上のギヤ側に延びる平面に形成されており、」を加入する訂正をする。
　９）訂正事項９
　同段落番号【０００９】において、「弾性係合部材に当接部を当接させるように・・・」を「上記錠剤収納ケースを案内部材に沿い移動させて支持台に装着の際、上記係合解除部材を上記平面状の当接部に当接させて上記弾性係合部材と上記駆動ギヤとの係合を解除するように・・・」と訂正する。
１０）訂正事項１０
　同段落番号【００１１】において、「歯車」（４箇所）をそれぞれ「ギヤ」と訂正する。
１１）訂正事項１１
　同段落番号【００１２】において、「支持台の案内部材」（２箇所）を「支持台上に設けた案内部材」と訂正する。
１２）訂正事項１２
　同段落番号【００１３】において、「図１は実施形態の錠剤フィーダの分解斜視図である。」を「図１は実施形態の錠剤フィーダにおいて、錠剤収納ケース１を支持台２から取り外した斜視図である。」と訂正する。
１３）訂正事項１３
　同段落番号【００１４】において、「内底部３の中央部が蟻地獄状の凹部３ａ・・・」を「内底部３の中央部が逆円錐台状の凹部３ａ・・・」と訂正する。
１４）訂正事項１４
　同段落番号【００１５】において、「このアーム１０ｂは後述するように支持台２側の部材に当接して歯形部の噛合いを解除するものである。」を「このアーム１０ｂは後述するように対向する位置の案内板１１の当接部１１ｘに当接して歯形部１０ａのギヤ９ａとの噛合いを解除するものである。」と訂正する。
１５）訂正事項１５
　同段落番号【００１６】（２箇所）、段落番号【００２１】（２箇所）、段落番号【００２４】（２箇所）において、「肩部」を全て「当接部」と訂正する。
１６）訂正事項１６
　同段落番号【００１７】において、「上記案内板１１の片隅の位置に駆動用ギヤ１２が設けられ、」を「上記案内板１１の片隅の位置の支持台２上に駆動用ギヤ１２が設けられ、」と訂正する　　。
１７）訂正事項１７
　同段落番号【００１７】において、「図１の１４は案内板１１上の取付ブロックであり、内部に排出路８が設けられ、かつ錠剤の通過を検出するためのセンサＳが設けられている。」を「図１に示すように、案内板１１上には取付ブロック１４を設けており、このブロック１４の内部に排出路８が設けられ、かつその排出路８内に錠剤Ｔの通過を検出するためのセンサＳが設けられている。」に訂正する。
１８）訂正事項１８
　同段落番号【００１８】において、「空白となったポケット５は・・・」を「空となったポケット５は・・・」に訂正する。
１９）訂正事項１９
　同段落番号【００２７】において、「・・・支持台の案内部材と一体の・・・」を「・・・　　支持台上に設けた案内部材と一体の・・・」と訂正する。
２０）訂正事項２０
　同段落番号【００２７】において、「従って収納ケースの着脱作業時に歯車の噛合い状態の・・・」を「従って収納ケースの着脱作業時にギヤの噛合い状態の・・・」と訂正する。
２１）訂正事項２１　
　同【図面の簡単な説明】の【図１】の「実施形態の錠剤フィーダの分解斜視図」を「実施形態の錠剤フィーダにおいて、錠剤収納ケース１を支持台２から取り出した斜視図」と訂正する。
２２）訂正事項２２
　【符号の説明】の「１１ｘ　肩部」を「１１ｘ　当接部」に訂正する。
２３）訂正事項２３
　図面の図３において、符号「Ｓ」及びその「引出線」を加入する訂正をする 。
　　　　　　　　　　　　　　　　　　　　　　　　　　　　　　　
（２）訂正の目的の適否、新規事項の有無及び拡張・変更の存否
　１）訂正事項１
　この訂正事項１は、当初の明細書（以下、「明細書」という。）に「支持台２上には案内板１１が設けられ」（段落番号【００１６】第１行）と記載されているから、願書に添付した明細書又は図面に記載した事項の範囲内のものであり、案内部材の形成位置を支持台上として特定したものであるから、特許請求の範囲の減縮に該当する。
２）訂正事項２
　明細書の段落番号【００１５】に「基端１０ｃは収納ケース下底に固定されている」と記載されており、当初の図面（以下、「図面」という。）においても、弾性係合部材１０は片持ち梁状であることが示されている。また、同段落番号【００１５】には「弾性係合部材１０の先端側基部にはＬ字形の係合解除アーム１０ｂが形成されている」との記載に基いて、それぞれ「片持ち梁状弾性係合部材」、「弾性係合部材に係合解除部材を設け」と訂正したものである。
　この訂正事項２は願書に添付した明細書又は図面に記載した事項の範囲内のものであって、弾性係合部材の形状を「片持ち梁状」に特定し、「弾性係合部材が係合解除部材を設けたもの」に限定したものであるから、特許請求の範囲の減縮に該当する。
３）訂正事項３
　　図１、図４において、係合解除部材１０ｂが当接する肩部がアーム１１ａからギヤ１２側に延びる平面となっていることが示されている。この訂正事項３はこの記載に基づくものであり、願書に添付した明細書又は図面に記載した事項の範囲内のものであって、当接部を「ギヤ側に延びる平面状」に特定したものであるから、特許請求の範囲の減縮に該当する。
４）訂正事項４
　「上記錠剤収納ケースを案内部材に沿い移動させて支持台に装着する」という訂正は、「収納ケース１を係合させるためのアーム１１ａが設けられている。」（明細書段落番号【００１６】）、及び図１、図４の記載に基づくものである。さらに「上記係合解除部材を上記平面状の当接部に当接させて上記弾性係合部材と上記駆動ギヤとの係合を解除する」という訂正は、「案内板１１の前記係合解除アーム１０ｂに対向する位置には肩部１１ｘが形成され、収納ケース１の組込時に係合解除アーム1０ｂを押し戻すことにより上記歯形部の噛合いが外される。」（同段落番号【００１６】）との記載、及び「合解除部材１０ｂが肩部１１ｘに当接して弾性係合部材の歯形部１０ａが駆動ギヤ９ａから外れた状態」を示す図４の記載に基づくものである。　これらの訂正は、願書に添付した明細書又は図面に記載した事項の範囲内のものであるから特許請求の範囲の減縮に該当する。
５）訂正事項５
　「蟻地獄形状」とは、一般的には逆円錐台状を言うが、技術用語としては不明確であり、その実施形態を示す図３には、その凹部３ａは逆円錐台状であることが示されている。そして、「そろ盤玉状」は、一般的には断面略菱形状を言うが、技術用語としては不明確であり、図３には、そのロータ４は断面略菱形状であることが示されている。　
　したがって、この訂正事項５は願書に添付した明細書又は図面に記載した事項の範囲内のものであり、「蟻地獄形状」及び「そろ盤玉状」と言う不明瞭な記載を「逆円錐台状」又は「断面略菱形状」という明瞭な記載に改めるものであるから、明瞭でない記載の釈明に該当する。
６）訂正事項６
　この訂正事項６は、訂正事項１と同一の内容であるから、願書に添付した明細書又は図面に記載した事項の範囲内のものである。そして、この訂正は、訂正後の請求項１記載内容との整合性を図るものであるから、明瞭でない記載の釈明に該当する。
７）訂正事項７
　この訂正事項７は、訂正事項２と同一の内容であるから、願書に添付した明細書又は図面に記載した事項の範囲内のものである。そして、この訂正は、訂正後の請求項１記載内容との整合性を図るものであって、明瞭でない記載の釈明に該当する。
８）訂正事項８
　この訂正事項８は、訂正事項３と同一の内容であるから、願書に添付した明細書又は図面に記載した事項の範囲内のものである。そして、この訂正は、訂正後の請求項１記載内容との整合性を図るものであって、明瞭でない記載の釈明に該当する。
９）訂正事項９
　この訂正事項９は、訂正事項４と同一の内容であるから、願書に添付した明細書又は図面に記載した事項の範囲内のものである。そして、この訂正は、訂正後の請求項１記載内容との整合性を図るものであるから、明瞭でない記載の釈明に該当する。
１０）訂正事項１０
　この訂正事項１０は、明細書の記載における部材の名称の統一を図るものであって、願書に添付した明細書又は図面に記載した事項の範囲内のものであり、明瞭でない記載の釈明に該当する。
１１）訂正事項１１
　この訂正事項１１は、訂正事項１及び同６と同一の内容であるから、願書に添付した明細書又は図面に記載した事項の範囲内のものであるから明瞭でない記載の釈明に該当する。
１２）訂正事項１２
　この訂正事項１２は、図１の記載の正しい態様の表現に訂正するものであり、願書に添付した明細書又は図面に記載した事項の範囲内のものであるから明瞭でない記載の釈明に該当する。
１３）訂正事項１３
　この訂正事項１３は、訂正事項５の「蟻地獄形状」と同一の内容であるから、願書に添付した明細書又は図面に記載した事項の範囲内のものである。この訂正は、「蟻地獄形状」と言う不明瞭な記載を「逆円錐台状」という明瞭な記載に改めるものであるから、明瞭でない記載の釈明に該当する。
１４）訂正事項１４
　この訂正事項１４は、「支持台2側の部材」を「対向する位置の案内板１１の当接部１１ｘ」と訂正するものであるが、明細書段落番号【００１７】に「案内板１１の前記係合解除アーム１０ｂに対向する位置には肩部１１ｘが形成され」と記載されている。この訂正事項１４はその記載に基づくものであってから願書に添付した明細書又は図面に記載した事項の範囲内のものであるから、明瞭でない記載の釈明に該当する。
（１５）　訂正事項１５
　この訂正事項１５は、「肩部」を「当接部」に訂正するものであり、その「肩部」が「当接部」であることは明細書及び図面から明らかであるから、願書に添付した明細書又は図面に記載した事項の範囲内のものであって、明瞭でない記載の釈明に該当する。
１６）訂正事項１６
　図１、図４において、駆動用ギヤ１２は、支持台２上に設けられ、その位置は案内板１１の片隅となっており、この訂正事項１６はこの記載に基づくものであって、願書に添付した明細書又は図面に記載した事項の範囲内のものであり、この訂正事項１６は、「上記案内板１１の片隅の位置に駆動用ギヤ１２が設けられ、」として「駆動用ギヤ１２を設けた部材」が不明な点を、その部材を「支持台２上」として明瞭な記載に改めるものであるから、明瞭でない記載の釈明に該当する。
１７）訂正事項１７
　図１には、取付ブロック１４が案内板１１上に設けられ、そのブロック１４に排出路８が記載され、図３において、その排出路8内の錠剤Ｔに四角内に対角線が書かれた部材が記載されている。訂正事項１７はこの記載に基づくものであって、願書に添付した明細書又は図面に記載した事項の範囲内のものであり、「センサＳの設置個所」を明瞭な記載に改めるものであるから、明瞭でない記載の釈明に該当する。
１８）訂正事項１８
　「空白」は、「空（から）」と同義語であるが、「空白」と言う不明瞭な記載を「空」と言う適切な記載に改めるものであるから、願書に添付した明細書又は図面に記載した事項の範囲内のものであって、明瞭でない記載の釈明に該当する。
１９）訂正事項１９
　この訂正事項１９は、訂正事項１、６と同一内容であるから、願書に添付した明細書又は図面に記載した事項の範囲内のものであり、明細書の記載内容の整合性を図るものであって、明瞭でない記載の釈明に該当する。
２０）訂正事項２０
　この訂正事項２０は、訂正事項１０と同一内容であるから、字句の不統一を正すものであって、明瞭でない記載の釈明に該当する。
２１）訂正事項２１
　この訂正事項２１は、訂正事項１２と同一内容であり、図１の記載内容を正しい表現に訂正するものであるから、願書に添付した明細書又は図面に記載した事項の範囲内のものであって、明瞭でない記載の釈明に該当する。
２２）訂正事項２２
　この訂正事項２２は、訂正事項１５と同一内容であり、願書に添付した明細書又は図面に記載した事項の範囲内のものであるから、明瞭でない記載の釈明に該当する。
２３）訂正事項２３
　この訂正事項２３は、訂正事項１７と同様、願書に添付した明細書又は図面に記載した事項の範囲内のものであり、「センサ」を指す符号「Ｓ」及びその引出線を加入するものであり、記載のないために不明瞭な記載を明瞭な記載に改めるものであって、明瞭でない記載の釈明に該当する。
　してみれば、上記訂正事項１−２３は、いずれも新規事項の追加に該当せず、実質的に特許請求の範囲を拡張し、又は変更するものでもない。
（３）むすび
　したがって、上記訂正は、特許法第１２０条の４第２項及び同条第３項で準用する第１２６条第２項及び第３項の規定に適合するので、当該訂正を認める。
３．特許異議の申立てについての判断
（１）申立ての理由の概要
　申立人村田　元は、証拠として甲第１号証（特願平７−１７７８２３号（特開平９−３０５０１号公報））を提出し、請求項１、２に係る発明は、特許法第２９条の２の規定に違反してなされたものであるから、特許を取り消すべき旨主張している。
（２）本件の請求項１、２に係る発明
　上記２．で示したように上記訂正が認められるから、本件の請求項１に係る発明（以下、「本件発明１」という。）及び請求項２に係る発明（以下、「本件発明２」という。）は、上記訂正請求に係る訂正明細書の特許請求の範囲の請求項１及び請求項２に記載された事項により特定される次のとおりのものである。
「【請求項１】　内底部にロータを回転自在に組込んだ錠剤収納ケースを、上記ロータの回転駆動用のモータを支持する支持台に対し支持台上に設けた案内部材を介して着脱自在に組込み、ロータ外周には複数のポケットを所定の間隔に設け、所定位置に設けた排出路にポケットのいずれかが合致すると錠剤を排出自在とし、上記錠剤収納ケースの下底に、上記ロータ下端の回転軸に設けられている駆動ギヤに係合して収納ケースの取外し時にロータの回転を阻止する回転阻止手段を設け、この回転阻止手段をロータ回転軸の駆動ギヤに係合する片持ち梁状弾性係合部材とし、その弾性係合部材には係合を解除する係合解除部材を設け、収納ケース装着の際弾性係合部材の駆動ギヤとの係合を解除するための部材として支持台上に設けた案内部材に一体に当接部を設け、その当接部は上記案内部材から上記モータから動力が伝達される支持台上のギヤ側に延びる平面で形成されており、上記錠剤収納ケースを案内部材に沿い移動させて支持台に装着の際、上記係合解除部材を上記平面状の当接部に当接させて上記弾性係合部材と上記駆動ギヤとの係合を解除するようにした錠剤フィーダ。 
【請求項２】 前記弾性係合部材がその先端に駆動ギヤに係合する歯形部を有することを特徴とする請求項１に記載の錠剤フィーダ。」 　　　　　　　　　　　　　　　　　　　　　　　　　　　　　　　　　　　　　　　　　　　　　　　　　　　　　　　
（３）刊行物等
　特許異議申立人が証拠として提出した本件出願前の他の出願であって甲第１号証の特許出願明細書及び図面（以下、「先願明細書」という。）には、以下のような発明が記載されている。
　甲第１号証：特願平７−１７７８２３号（特開平９−３０５０１号公報）
１）「薬剤選択供給装置内の薬剤収容容器支持体(2) に装着脱可能で、且つ錠剤、カプセル等の薬剤を収納可能な薬剤収納部(16)が設けられた収容容器本体(1) と、略鉛直方向に設けられた軸体(29)を中心として回転自在で、且つ前記薬剤収納部(16)の底部側に設けられた略筒状の薬剤整列ローラー(25)と、該薬剤整列ローラー(25)の外周側に複数形成された錠剤、カプセル等の薬剤の整列しうる薬剤整列路(24)と、前記薬剤整列ローラー(25)の回転により前記薬剤が個々に排出される出口となる開口部(13)とが具備された薬剤収容容器に於いて、前記薬剤整列ローラー(25)には、少なくとも前記収容容器本体(1) が薬剤収容容器支持体(2) に装着されていない場合に、該薬剤整列ローラー(25)の自転を抑止する抑止手段が設けられてなることを特徴とする錠剤等の薬剤選択供給装置用の薬剤収容容器。」（【請求項１】）
２）「 前記抑止手段が、前記薬剤整列ローラー(25)の軸体(29)に取付けられたギア(30)又はギア(30)の歯に弾性体の付勢によって係止しうるストッパー(18)である請求項１記載の錠剤等の薬剤選択供給装置用の薬剤収容容器。」（【請求項２】）
３）「 前記薬剤収容容器支持体(2) には、前記収容容器本体(1) が該薬剤収容容器支持体(2) に装着された場合に前記薬剤整列ローラー(25)の抑止手段を解除する解除手段が設けられてなる請求項１又は２記載の錠剤等の薬剤選択供給装置用の薬剤収容容器。」（【請求項３】）
４）「しかしながら、従来の薬剤収容容器は、薬剤整列ローラーが回転自在に設けられているので、脱着時に薬剤収容容器に加わる振動、衝撃等によって薬剤整列ローラーが不用意に回転し、薬剤整列路に残っていた薬剤が薬剤排出用の開口部から薬剤選択供給装置に排出される可能性がある。」（【０００４】）
５）「本発明は上記の点を解決するものであり、薬剤収容容器を装着脱する際にその薬剤収容容器内に残った薬剤を不用意に排出させない錠剤等の薬剤選択供給装置用の薬剤収容容器を提供することを課題とするものである。」（【０００５】）
６）「前記薬剤収容容器支持体2 の装着面2aには、収容容器本体1 を装着する際の導き路となる一対の案内レール3,3'が突設され、且つ薬剤収容容器支持体2 の内側には、収容容器本体1 の前壁に設けられた凹部4 に嵌合する凸部5aが形成された前面板5 が立設されている。 前記案内レール3,3'の前面板5 側には、平面視略碗状の段部6,6'が夫々形成されている。 7 は、収容容器本体1 から排出される薬剤を分包装置（図示せず）に供給するための搬出口を示し、8 は、モーター等の回転駆動体9 を介して回転する大ギア8aと小ギア8bからなり、且つ装着面2aから突出した二連歯車を示す。10は、一の案内レール3 の略中央部近傍に突設された棒状の突起棒を示し、かかる突起棒10は、後述する薬剤攪拌ローラー体11の回転を抑止する抑止手段であるストッパー18の規制を解除する解除手段である。」（【００１１】）
７）「 また、収容容器本体1 のギア収納部20内には、抑止手段としてヘアピン状の板バネからなるストッパー18の一辺側18a が、仕切壁19にピンを介して固定された取付部35に固着されている。かかるストッパー18の他辺側18b の先端には、平面視略碗状の受け部36が形成され、且つその受け部36近傍には、薬剤整列ローラー25の軸体29に固着された大ギア30の歯に係止する略三角形状の係止部37が設けられている。」（【００１６】）
８）「39,39'は、収容容器本体1 を薬剤収容容器支持体2 の案内レール3,3'に沿って装着するための導き路を示し、仕切壁19から下方に突出されてギア収納部20内に形成されている。40,40'は、案内レール3,3'の段部6,6'に嵌合する位置決め突起を示す。」（【００１７）
９）「上記薬剤収容容器を薬剤収容容器支持体2 の案内レール3,3'に沿って嵌め込むと、図２及び図３に示すように、位置決め突起40,40'と段部6,6'が嵌合することによって所定位置に装着されると共に、駆動手段9 の二連歯車8 が薬剤攪拌ローラー体11の二連歯車17に噛合し、同時に、薬剤収容容器支持体2 の突起棒10がストッパー18の受け部36に当接することにより板バネが押圧されてストッパー18による抑止が解除され、装着前は自転、即ち、ストッパー18により不用意に回転できなかった薬剤整列ローラー25が回転自在な状態となる。 そして、回転駆動体9 を介して薬剤攪拌ローラー体11が回転することにより、薬剤整列路24に導入された薬剤は、処方箋等のデータに基づいて開口部13から薬剤収容容器支持体2 の排出口7 に排出されて分包装置に供給される。」（【００１８】）
１０）「叙上のように、本発明に係る薬剤収容容器は、薬剤を個々に整列させて排出するための薬剤整列ローラーに、その回転を抑止する抑止手段が設けられているので、薬剤収容容器を薬剤選択供給装置から外す際又は装着する際に、回転自在な薬剤整列ローラーが不用意に回転することがない。 従って、薬剤整列路や薬剤収納部に薬剤が残っていても薬剤整列ローラーが自転して薬剤が開口部から薬剤選択供給装置に排出されることを防止できる。よって、薬剤の無駄を無くし、一連の作業の円滑化を図ることができる。」（【００２３】）
（４）対比・判断
　上記の先願明細書に記載された発明（以下、「先願発明」という。）の案内レール３、３’、ストッパー１８、及び突起棒１０は、それぞれ本件発明の支持体の案内部材１１、弾性係合部材１０、及び当接部１１ｘに相当する。
　そこで、本件発明１と先願発明とを対比すると、本件発明１においては「当接部は上記案内部材から上記モータから動力が伝達される支持台上のギヤ側に延びる平面で形成されており、上記錠剤収納ケースを案内部材に沿い移動させて支持台に装着の際、上記係合解除部材を上記平面状の当接部に当接させて上記弾性係合部材と上記駆動ギヤとの係合を解除するようにした」のに対し、先願発明は「弾性係合部材の先端部からなる係合解除部材（ストッパー１８の係止部３７から先端部）が、丸形突起棒１０に当接してその弾性係合部材(ストッパー１８（係止部３７）)とギア３０の係合を解除するものである」点において互いに相違する。
　この相違点により本件発明１は解除作用を確実に行うことができるという格別の作用効果を有するものであるから、本件発明１が特許法第２９条の２に違反してなされたものであるとすることはできない。
　そして、本件発明２についても先願発明のものと上記相違点がある以上、本件発明２が特許法第２９条の２に違反してなされたものであるとすることはできない。
（５）むすび
　以上のとおりであるから、特許異議申立ての理由及び証拠によっては本件請求項１及び請求項２に係る特許を取り消すことはできない。
　また、他に本件請求項１及び請求項２に係る特許を取り消す理由を発見しない。
　よって、結論のとおり決定する。
【異議決定日】
平成１５年６月１９日（２００３．６．１９）
【訂正の要旨】
（１）明細書の特許請求の範囲の請求項１において、「支持台の案内部材」を「支持台上に設けた案内部材」（２箇所）に訂正する（以下、「訂正事項１」という）。
（２）同請求項１において、「・・・駆動ギヤに係合する弾性係合部材とし、・・」を「・・・駆動ギヤに係合する片持ち梁状弾性係合部材とし、その弾性係合部材には係合を解除する係合解除部材を設け、・・」に訂正する（以下、「訂正事項２」という）。
（３）同請求項１において、「・・・一体に当接部を設け、」につづいて、「その当接部は上記案内部材から上記モータから動力が伝達される支持台上のギヤ側に延びる平面に形成されており、」を加入する訂正をする（以下、「訂正事項３」という）。
（４）同請求項１において、「弾性係合部材に当接部を当接させるように・・・」を「上記錠剤収納ケースを案内部材に沿い移動させて支持台に装着の際、上記係合解除部材を上記平面状の当接部に当接させて上記弾性係合部材と上記駆動ギヤとの係合を解除するように・・・」に訂正する（以下、「訂正事項４」という）。
（５）明細書段落０００４において、「上記錠剤フィーダはケース内底部の蟻地獄形状の凹部にそろ盤玉状のロータが・・・」を「上記錠剤フィーダはケース内底部の逆円錐台形状の凹部に断面略菱形状のロータが・・・」に訂正する（以下、「訂正事項５」という）。
（６）同段落０００９において、「支持台の案内部材」を「支持台上に設けた案内部材」（２箇所）に訂正する（以下、「訂正事項６」という）。
（７）同段落０００９において、「・・・駆動ギヤに係合する弾性係合部材とし、・・」を「・・・駆動ギヤに係合する片持ち梁状弾性係合部材とし、その弾性係合部材には係合を解除する係合解除部材を設け、・・」に訂正する（以下、「訂正事項７」という）。
（８）同段落０００９において、「・・・一体に当接部を設け、」につづいて、「その当接部は上記案内部材から上記モータから動力が伝達される支持台上のギヤ側に延びる平面に形成されており、」を加入する訂正をする（以下、「訂正事項８」という）。
（９）同段落０００９において、「弾性係合部材に当接部を当接させるように・・・」を「上記錠剤収納ケースを案内部材に沿い移動させて支持台に装着の際、上記係合解除部材を上記平面状の当接部に当接させて上記弾性係合部材と上記駆動ギヤとの係合を解除するように・・・」に訂正する（以下、「訂正事項９」という）。
（１０）同段落００１１において、「歯車」（４箇所）をそれぞれ「ギヤ」に訂正する（以下、「訂正事項１０」という）。
（１１）同段落００１２において、「支持台の案内部材」（２箇所）を「支持台上に設けた案内部材」に訂正する（以下、「訂正事項１１」という）。
（１２）同段落００１３において、「図１は実施形態の錠剤フィーダの分解斜視図である。」を「図１は実施形態の錠剤フィーダにおいて、錠剤収納ケース１を支持台２から取り外した斜視図である。」に訂正する（以下、「訂正事項１２」という）。
（１３）同段落００１４において、「内底部３の中央部が蟻地獄状の凹部３ａ・・・」を「内底部３の中央部が逆円錐台状の凹部３ａ・・・」に訂正する（以下、「訂正事項１３」という）。
（１４）同段落００１５において、「このアーム１０ｂは後述するように支持台２側の部材に当接して歯形部の噛合いを解除するものである。」を「このアーム１０ｂは後述するように対向する位置の案内板１１の当接部１１ｘに当接して歯形部１０ａのギヤ９ａとの噛合いを解除するものである。」に訂正する（以下、「訂正事項１４」という）。
（１５）同段落００１６（２箇所）、段落００２１（２箇所）、段落００２４（２箇所）において、「肩部」を全て「当接部」に訂正する（以下、「訂正事項１５」という）。
（１６）同段落００１７において、「上記案内板１１の片隅の位置に駆動用ギヤ１２が設けられ、」を「上記案内板１１の片隅の位置の支持台２上に駆動用ギヤ１２が設けられ、」に訂正する（以下、「訂正事項１６」という）。
（１７）同段落００１７において、「図１の１４は案内板１１上の取付ブロックであり、内部に排出路８が設けられ、かつ錠剤の通過を検出するためのセンサＳが設けられている。」を「図１に示すように、案内板１１上には取付ブロック１４を設けており、このブロック１４の内部に排出路８が設けられ、かつその排出路８内に錠剤Ｔの通過を検出するためのセンサＳが設けられている。」に訂正する（以下、「訂正事項１７」という）。
（１８）同段落００１８において、「空白となったポケット５は・・・」を「空となったポケット５は・・・」に訂正する（以下、「訂正事項１８」という）。
（１９）同段落００２７において、「・・・支持台の案内部材と一体の・・・」を「・・・支持台上に設けた案内部材と一体の・・・」に訂正する（以下、「訂正事項１９」という）。
（２０）同段落００２７において、「従って収納ケースの着脱作業時に歯車の噛合い状態の・・・」を「従って収納ケースの着脱作業時にギヤの噛合い状態の・・・」に訂正する（以下、「訂正事項２０」という）。
（２１）同【図面の簡単な説明】の【図１】の「実施形態の錠剤フィーダの分解斜視図」を「実施形態の錠剤フィーダにおいて、錠剤収納ケース１を支持台２から取り出した斜視図」に訂正する（以下、「訂正事項２１」という）。
（２２）【符号の説明】の「１１ｘ　肩部」を「１１ｘ　当接部」に訂正する（以下、「訂正事項２２」という）。
（２３）図面の図３において、符号「Ｓ」及びその「引出線」を加入する訂正をする（以下、訂正事項２３という）。
（５４）【発明の名称】
錠剤フィーダ
（５７）【特許請求の範囲】
　【請求項１】　内底部にロータを回転自在に組込んだ錠剤収納ケースを、上記ロータの回転駆動用のモータを支持する支持台に対し支持台
上に設けた
片持ち梁状
その弾性係合部材には係合を解除する係合解除部材を設け、
上に設けた
その当接部は上記案内部材から上記モータから動力が伝達される支持台上のギヤ側に延びる平面で形成されており、上記錠剤収納ケースを案内部材に沿い移動させて支持台に装着の際、上記係合解除部材を上記平面状の
に
て上記弾性係合部材と上記駆動ギヤとの係合を解除する
　【請求項２】　前記弾性係合部材がその先端に駆動ギヤに係合する歯形部を有することを特徴とする請求項１に記載の錠剤フィーダ。
【発明の詳細な説明】
　【０００１】
　【発明の属する技術分野】
　この発明は、錠剤（カプセルを含む）を供給する錠剤フィーダの錠剤送り機構の改良に関する。
　【０００２】
　【従来の技術】
　錠剤包装装置に錠剤を供給する装置として錠剤フィーダが知られている。この錠剤フィーダの形式として種々のものが知られているが、１例として錠剤収納ケース内の底部にロータを回転自在に組込み、この収納ケースを支持台に対し水平方向から着脱自在に嵌合取付け、支持台内には上記ロータの回転駆動用モータを設けたものがある。
　【０００３】
　上記錠剤フィーダの支持台には斜め下方に錠剤を排出するための排出路が設けられ、かつロータにはその外周に錠剤を落し込むポケットが設けられており、各ポケットが排出路の上端位置に合致するとポケット内の錠剤が落下し、下方に排出される。
　【０００４】
　【発明が解決しようとする課題】
　ところで、上記錠剤フィーダはケース内底部の
逆円錐台
断面略菱形
　【０００５】
　一方、ロータの外周に設けられたポケットには錠剤が落下し、各ポケットのいずれかが排出路に合致するとそのポケット内の錠剤が排出路に排出される。従って、収納ケース内に錠剤が入れられると単にポケット内に錠剤が入っていることになる。
　【０００６】
　このような構成の錠剤フィーダに、収容されている錠剤がその中間段階で又は錠剤収容量最終段階で錠剤を補給しようとするとき、一般に錠剤収納ケースを支持台から引き離して収納ケースに錠剤が補給される。しかし、収納ケースを支持台から引き離すためモータからロータのギヤを介して回転動力を伝達する経路において、収納ケースの引き離し又は組込みの際、従動ギヤと駆動ギヤの歯と歯の当り具合が微妙に変化し、このためロータがわずかに回転することがある。
　【０００７】
　ロータがわずかに回転すると、その前にロータがポケットから排出路へ錠剤を排出する直前で停止していた場合、このわずかな回転のためポケットの位置が排出路に完全に一致し、何らの排出命令なしに錠剤が落下排出され、収納ケース内に入っている錠剤の数が微妙に狂うことになる。これは、従来の錠剤フィーダの収納ケース側に設けられているロータ下部の回転軸を収納ケースの着脱時に回転阻止する手段が設けられていないことに起因する。
　【０００８】
　この発明は、上述した従来の錠剤フィーダのロータの問題に留意して、ロータの回転軸に回転阻止をする手段を設けることによりロータからの不測の錠剤供給をなくし、確実に所定箇数の錠剤を供給し得る錠剤フィーダを提供することを課題とする。
　【０００９】
　【課題を解決するための手段】
　この発明は、上記課題を解決する手段として、内底部にロータを回転自在に組込んだ錠剤収納ケースを、上記ロータの回転駆動用のモータを支持する支持台に対し支持台
上に設けた
片持ち梁状
その弾性係合部材には係合を解除する係合解除部材を設け、
上に設けた
その当接部は上記案内部材から上記モータから動力が伝達される支持台上のギヤ側に延びる平面で形成されており、上記錠剤収納ケースを案内部材に沿い移動させて支持台に装着の際、上記係合解除部材を上記平面状の
に
て上記弾性係合部材と上記駆動ギヤとの係合を解除する
　【００１０】
　この発明の錠剤フィーダは、錠剤収納ケースを支持台に着脱自在に組込んで使用される。収納ケース内には所定量の錠剤が予め収納されており、ロータを回転することにより排出路から順次連続的に１つずつ錠剤を排出して供給する。錠剤を供給している途中で、あるいは最後の段階で錠剤の補給又は点検のため収納ケースを支持台から外そうとしたとき、ポケット内の錠剤が排出路へ落下するぎりぎり直前位置で止まることがある。
　【００１１】
　この状態で収納ケースを外すと、モータの回転力をロータへ伝達する
ギヤ
ギヤ
ギヤ
ギヤ
　【００１２】
　この場合、回転阻止手段の弾性係合部材は、収納ケースを支持台に対して装着する際に駆動ギヤとの係合が解除されるが、この係合を解除するための部材として支持台
上に設けた
上に設けた
　【００１３】
　【実施の形態】
　以下、この発明の実施の形態について図面を参照して説明する。図１は実施形態の錠剤フィーダ
において、錠剤収納ケース１を支持台２から取り外した
　【００１４】
　錠剤収納ケース１は、内底部３の中央部が
逆円錐台状
　【００１５】
　上記ロータ４の回転軸４ａの下端には回転ギヤ９ａが取り付けられ、これに噛合うもう１つのギヤ９ｂがケース内底板３ａに設けられている。図２は収納ケース１の底部を上向きに見た平面図を示している。１０は弾性係合部材であり、図示のようにＬ字状弾性部材の先端に歯形部１０ａが形成され、基端１０ｃは収納ケース下底に固定されている。弾性係合部材１０の先端側基部にはＬ字形の係合解除アーム１０ｂが形成されている。このアーム１０ｂは後述するように
対向する位置の案内板１１の当接部１１ｘに
１０ａのギヤ９ａと
　【００１６】
　支持台２上には案内板１１が設けられ、その両端に収納ケース１を係合させるためのアーム１１ａが設けられている。このアーム１１ａには凹部が部分的に設けられ、図２に示すように収納ケース１の内側底部に上記アームを挟むような突起１Ｂ、１Ｂが設けられており、この突起１Ｂ、１Ｂが上記アームの凹部に嵌合することにより収納ケース１が支持台２に係合される。又、案内板１１の前記係合解除アーム１０ｂに対向する位置には
当接部
当接部
は
　【００１７】
　上記案内板１１の片隅の位置
の支持台２上
示すように、案内板１１上には
を設けており、このブロック１４の
その排出路８内に
Ｔ
　【００１８】
　以上の構成とした実施形態の錠剤フィーダは次のように作用する。錠剤フィーダの収納ケース１内には所要量の錠剤が供給され蓋板１ａを閉じた状態でロータ４が回転駆動され、ポケット５が開放口７の位置で排出路８に合致すると、そのポケット５内の２つの錠剤の１つが排出路８に落下する。
空と
　【００１９】
　上記のような連続的な錠剤の排出、供給が行なわれている工程の途中、又は最終段階で錠剤フィーダの点検、あるいは錠剤の補給をしようとして収納ケース１が支持台２から取り外されることがある（その直前にモータは停止される）。
　【００２０】
　上記取外しの前にロータが停止した際にロータ４のポケット５に錠剤が入ったままそのポケット５が排出路８に対応する少し手前位置で停止すると、ポケット５内の錠剤は落下排出されず、あと少しの位置で保持されている。
　【００２１】
　この状態で収納ケース１を支持台２から取り外すと、両者はモータ出力軸上のギヤ１２とロータ４の下端のギヤ９ａとの噛合いが外れて分離される。このとき、その直前まで案内板１１の
当接部
当接部
　【００２２】
　このため、収納ケース１を支持台２から取り外す際にロータ４がわずかに回転することがなくなり、ポケット５内の錠剤が排出路８へ落下の直前状態であっても確実に保持される。
　【００２３】
　支持台２に収納ケース１を組込んだ状態では押し戻されている弾性係合部材１０が、収納ケース１を取り外した際に元の状態に戻ろうとするが、その時先端の歯形部１０ａがギヤ９ａに対しやや斜めに戻るからその戻り動作でギヤ９ａを若干回転させることになる。このため、ギヤ９ａのわずかな回転の回転方向が、錠剤払出し時のロータ回転方向と逆方向となるように収納ケース下底部の片側に弾性係合部材１０の基端１０ｃを設けるものとする。
　【００２４】
　なお、上記弾性係合部材１０の係合解除アーム１０ｂは案内板１１の
当接部
当接部
　【００２５】
　又、上記実施形態の弾性係合部材１０はＬ字形部材により形成したが、歯形部１０ａのギヤ９ａとの噛合いを収納ケース１の取外しに連動して行なわせ、収納ケース１を支持台２へ組込む際には上記噛合いが外れるようにできれば他の形状、機能部材のものを用いてもよい。
　【００２６】
　例えば、ロータ４の中心を通り収納ケースを着脱する方向の中心線上でケース底部側壁に直線状のロッドを設けそのロッド先端にロッドに対して平行に移動し得るヘッド部分をヘッド内部に設けたコイルばねを介して弾性的に装着しヘッド先端に歯形部を設け、ヘッド側方に係合解除アームを形成したものとしてもよい。あるいは、収納ケース１の内底面の凹部３ａの裏側にロータ回転軸４ａの回転を阻止するブレーキを回転軸に直接設け、このブレーキを収納ケース取付けの際ゆるめるようにし、取外しのときはブレーキ作動をさせるようにしてもよい。
　【００２７】
　【発明の効果】
　以上詳細に説明したように、この発明の錠剤フィーダは収納ケース下底に弾性係合部材を用いた回転阻止手段を取り付け、収納ケースを支持台から取り外す際には回転阻止手段をロータのギヤに係合させロータの回転を阻止し、収納ケースを装着の際に駆動ギヤとの係合を解除するための部材として支持台
上に設けた
ギヤ
【図面の簡単な説明】
　【図１】
　実施形態の錠剤フィーダ
において、錠剤収納ケース１を支持台２から取り外した
　【図２】
　収納ケースの裏面から見た平面図
　【図３】
　錠剤フィーダの主要断面図
　【図４】
　図３の矢視ＩＶ−ＩＶから見た断面図
　【符号の説明】
　１　収納ケース
　２　支持台
　３　ケース内底部
　４　ロータ
　５　ポケット
　５ｒ　全周溝
　８　排出路
　１０　弾性係合部材
　１０ａ　歯形部
　１０ｂ　係合解除アーム
　１１ｘ　
当接部
　１３　モータ
【図面】